(57)【要約】【課題】簡便な機構で断熱性を向上できる断熱構造体、およびこの断熱構造体を採用することによって結露を防止する結露防止ドア、結露防止枠およびドアセットを提供する。【解決手段】本体プレート１１ａを備えており、本体プレート１１ａには、その表裏を貫通する貫通孔１１ｈが形成されている。本体プレート１１ａに貫通孔１１ｈが形成されているので、本体プレート１１ａを面内方向から挟む端縁間において熱が移動しにくくなる。すると、本体プレート１１ａを面内方向から挟む端縁間で温度差があっても、温度が高い端縁から温度が低い端縁への熱の逃げを抑制することができる。【選択図】図１
2017057623.tif 000002
【特許請求の範囲】
【請求項１】
本体プレートを備えており、
該本体プレートには、
その表裏を貫通する貫通孔が形成されている
ことを特徴とする断熱構造体。
【請求項２】
前記本体プレートにおいて、該本体プレートを面内方向から挟む端縁の両方またはいずれか一方に設けられた端部部材を備えている
ことを特徴とする請求項１記載の断熱構造体。
【請求項３】
前記本体プレートには、前記貫通孔が複数設けられており、
該複数の貫通孔は、
前記一方の端縁から他方の端縁を見る方向において、隣接する貫通孔同士が重なりあうように配設されている
ことを特徴とする請求項２記載の断熱構造体。
【請求項４】
前記貫通孔は、
その軸方向が一方の端縁から他方の端縁を見る方向と交差するように形成された長孔である
ことを特徴とする請求項２または３記載の断熱構造体。
【請求項５】
前記本体プレートの表面と非平行となるように配設された板状部材を備えている
ことを特徴とする請求項１、２、３または４記載の断熱構造体。
【請求項６】
一対の表面板と、該一対の表面板間に配置された骨部材と、を有するドアであって、
前記骨部材が、
請求項１、２、３または４記載の断熱構造体である
ことを特徴とする結露防止ドア。
【請求項７】
請求項１、２、３または４記載の断熱構造体を構成部材として有する
ことを特徴とする結露防止枠。
【請求項８】
ドアと、該ドアが取り付けられる戸枠と、を備えており、
前記ドアの骨部材および／または戸枠が、請求項１、２、３または４記載を構成部材として有する
ことを特徴とするドアセット。
【発明の詳細な説明】
【技術分野】
【０００１】
本発明は、断熱構造体、結露防止ドア、結露防止枠およびドアセットに関する。さらに詳しくは、戸建住宅やマンションなどの居住用建物の玄関や外壁、屋根などのように、室内外の空間を分断するように配置される断熱構造体、およびこの断熱構造体を採用した結露防止ドア、結露防止枠およびドアセットに関する。
【背景技術】
【０００２】
戸建住宅やマンションなどの居住用建物の玄関には、居住用建物の玄関側壁に設けられた戸枠と、この戸枠にヒンジを介して開閉自在となるように取り付けられたドアを備えたドアセットが設けられている。このため、居住用建物の玄関では、ドアを開閉することによって、室内と室外との間を連通したり遮断したりすることができるようになっている。
【０００３】
かかる居住用建物の玄関には、近年では、防火上の観点から鋼製のドアが使用される場合が多い。かかる鋼製のドアは、金属製の骨部材を使用して略矩形に形成されたドアフレームと、このドアフレームの表裏に固定された表面材と、を備えている。また、ドアの断熱性や防音性を向上させるために、表裏の表面材間には、断熱材や防音材なども配置される。
【０００４】
ところで、上述したようなドアは、一方の表面材は室内の空気に接しており、他方の表面材は室外の空気に接している。室内外の空気に温度差がある場合には、表面材間に断熱材を設けていても、ドアフレーム等を通して、両表面材間で熱の移動が生じる。
【０００５】
例えば、冬季は、暖房などによって室内の空気は暖められているので、室内の空気の温度は室外の空気の温度に比べて高くなっている。すると、室内の空気に接する室内側の表面材は、室外側の表面材よりも温度が高くなる。つまり、室内側の表面材と室外側の表面材の間に温度差が生じるので、ドアフレームを通して、高温となっている室内側の表面材から低温となっている室外側の表面材に熱が逃げることになる。このため、室内側の表面材は室内の空気の温度よりも低い温度となり、その温度が露点温度以下となると、室内側の表面材には結露が生じる。結露が生じると、カビや錆の発生、結露した水滴の階下への漏水等の問題が生じるため、結露を防止することは重要である。
【０００６】
結露が発生する一因は、上述したように、室内側から室外側に熱が逃げることによって、室内側の表面材の温度が低下することである。したがって、室内から室外に熱が逃げることを防止できれば、結露の発生を防ぐことができる。
【０００７】
例えば、特許文献１には、鋼製ドアの室内外表面板間の熱伝導を遮断して、断熱性能を高度化することを目的とした技術が開示されている。この技術では、室内外表面板間を連結する骨部材に断熱層を介設して、室内外表面板間の熱伝導を遮断している。具体的には、骨部材を見込方向の中間位置で２分割して、この２分割した骨部材の間に断熱材を介設することによって、骨部材を通した室内外表面板間の熱伝導を遮断している。
【先行技術文献】
【特許文献】
【０００８】
【特許文献１】特開２０１１−２２００１９号公報
【発明の概要】
【発明が解決しようとする課題】
【０００９】
しかるに、特許文献１の技術では、これまで一体で形成されていた骨部材を、見込方向の中間位置で２分割している。そして、２分割した骨部材の間に断熱材を挟んで連結することによって骨部材を形成しているので、骨部材の構造が複雑になる。
また、骨部材を２分割したことによって、骨部材自体の強度が低下する。骨部材の強度低下は、骨部材を組み合わせて形成されるドアフレームの強度低下にもつながるため、好ましくない。
しかも、骨部材の製造に多数の工程を要するので、骨部材の製造コストが高くなり、ドア自体のコストアップにもつながる。
【００１０】
本発明は上記事情に鑑み、簡便な機構で断熱性を向上できる断熱構造体、およびこの断熱構造体を採用することによって結露を防止する結露防止ドア、結露防止枠およびドアセットを提供することを目的とする。
【課題を解決するための手段】
【００１１】
（断熱構造体）
第１発明の断熱構造体は、本体プレートを備えており、該本体プレートには、その表裏を貫通する貫通孔が形成されていることを特徴とする。
第２発明の断熱構造体は、第１発明において、前記本体プレートにおいて、該本体プレートを面内方向から挟む端縁の両方またはいずれか一方に設けられた端部部材を備えていることを特徴とする。
第３発明の断熱構造体は、第２発明において、前記本体プレートには、前記貫通孔が複数設けられており、該複数の貫通孔は、前記一方の端縁から他方の端縁を見る方向において、隣接する貫通孔同士が重なりあうように配設されていることを特徴とする。
第４発明の断熱構造体は、第２または第３発明において、前記貫通孔は、その軸方向が前記一方の端縁から他方の端縁を見る方向と交差するように形成された長孔であることを特徴とする。
第５発明の断熱構造体は、第１、第２、第３または第４発明において、前記本体プレートの表面と非平行となるように配設された板状部材を備えていることを特徴とする。
（結露防止ドア）
第６発明の結露防止ドアは、一対の表面板と、該一対の表面板間に配置された骨部材と、を有するドアであって、前記骨部材が、第１、第２、第３または第４発明に記載の断熱構造体であることを特徴とする。
（結露防止枠）
第７発明の結露防止枠は、請求項１、２、３または４記載の断熱構造体を構成部材として有することを特徴とする。
（ドアセット）
第８発明のドアセットは、ドアと、該ドアが取り付けられる戸枠と、を備えており、前記ドアの骨部材および／または戸枠が、第１、第２、第３または第４発明に記載の断熱構造体を構成部材として有することを特徴とする。
【発明の効果】
【００１２】
第１発明によれば、本体プレートに貫通孔が形成されているので、本体プレートを面内方向から挟む端縁間において熱が移動しにくくなる。すると、本体プレートを面内方向から挟む端縁間で温度差があっても、温度が高い端縁から温度が低い端縁への熱の逃げを抑制することができる。
第２発明によれば、本体プレートに貫通孔が形成されているので、一対の端部部材間または端部部材と端縁との間において熱が移動しにくくなる。また、一対の端部部材間または端部部材と端縁との間において温度差があっても、温度が高い端部部材または端縁に結露が発生することを抑制することができる。
第３発明によれば、端縁間を熱が移動する際の抵抗を大きくできるので、端縁間の断熱性を向上させることができる。
第４発明によれば、貫通孔の幅を狭くした場合、一対の端部部材間または端部部材と端縁との間を繋ぐ方向に沿って並ぶ貫通孔の数を増やすことができるので、一対の端部部材間または端部部材と端縁との間を熱が移動する際の抵抗を大きくできる。また、貫通孔の軸方向の長さを長くすれば、隣接する貫通孔同士が重なる部分の長さを長くできるので、一対の端部部材間または端部部材と端縁との間を熱が移動する際の抵抗をさらに大きくできる。
第５発明によれば、板状部材を壁面とする壁を形成すれば、壁などの断熱性を向上させることができる。
（結露防止ドア）
第６発明によれば、一方の表面板から他方の表面板に骨部材を通って熱が移動しにくくなるので、ドアの断熱性を向上させることができる。また、一対の表面板と各々面する空間において空気の温度差があっても、空気の温度が高い空間と面する表面板において、結露の発生を抑制することができる。
（結露防止枠）
第７発明によれば、枠の一方の面から他方の面に熱が移動しにくくなるので、枠の断熱性を向上させることができる。また、枠の両面と各々面する空間において空気の温度差があっても、空気の温度が高い空間と面において、結露の発生を抑制することができる。
（ドアセット）
第８発明によれば、骨部材を通ってドアの一方の表面板から他方の表面板に熱が移動しにくくなるし、戸枠を通って戸枠の内面から外面に熱が移動しにくくなるので、ドアおよび／または戸枠の断熱性を向上させることができる。また、一対の表面板の外表面が各々面する空間および／または戸枠の外面内面が各々面する空間において温度差があっても、空気の温度が高い空間に面する部分において、結露の発生を抑制することができる。
【図面の簡単な説明】
【００１３】
【図１】本実施形態のドアセット１の部分拡大断面図である。
【図２】ドア３のフレーム１０における竪フレーム１１の本体プレート１１ａに形成された貫通孔１１ｈの概略説明図である。
【図３】戸枠２０の竪枠２１における室外側部材２１ａの本体プレートａに形成された貫通孔ｈの概略説明図である。
【図４】本実施形態のドアセット１の概略横断面図である。
【図５】本実施形態のドアセット１の概略縦断面図である。
【図６】本実施形態の断熱構造体の概略説明図である。
【図７】本実施形態のドアセット１を取り付けた玄関の概略説明図であって、（Ａ）は外部から見た状態の説明図であり、（Ｂ）は室内から見た状態の説明図である。
【図８】他の実施形態の竪フレーム１１の概略説明図である。
【図９】実験状況の概略説明図であり、（Ａ）は実験室の概略説明図であり、（Ｂ）は骨部材の設置状態の概略説明図である。
【図１０】実験に使用した骨部材の概略説明図であり、（Ａ）は実施例１の骨部材の説明図であり、（Ｂ）は比較例１の骨部材の説明図である。
【図１１】高温側の表面の結露発生状況の写真であり、（Ａ）は実施例１、（Ｂ）は比較例１の結果である。
【図１２】実施例１、比較例１の高温側の表面温度の変化を示したグラフである。
【発明を実施するための形態】
【００１４】
本発明のドアセットは、居住用建物の室内と室外とを連通する入口に設けられるドアセットであって、室内側と室外側との間の断熱性を高くできる構造としたことに特徴を有している。
【００１５】
本発明のドアセットは、戸枠とドアとから構成されており、ドアのみまたは戸枠のみ断熱性が高い構造となった場合、戸枠とドアの両方の断熱性が高い構造となった場合をいずれも含んでいる。そして、本発明のドアセットにおいて、断熱性が高い構造となったドアが、本発明の結露防止ドアに相当し、断熱性が高い構造となった戸枠が、本発明の結露防止枠に相当する。
【００１６】
以下では、戸枠とドアの両方の断熱性が高い構造なった場合、つまり、断熱性が高い構造となった戸枠に、本発明の結露防止ドア（断熱性が高い構造となったドア）を設けた場合を代表として説明する。また、便宜上、室内側の空気の温度が室外側の空気の温度よりも高温の場合を説明する。
【００１７】
（ドアセット１）
図７（Ａ）において、符号Ｆは共用廊下を示しており、符号ＥＷは玄関側壁を示している。この玄関側壁ＥＷには、本実施形態のドアセット１が取り付けられている。このドアセット１は、戸枠２０と、この戸枠２０に取り付けられるドア３と、を備えている。
【００１８】
図７（Ｂ）に示すように、戸枠２０は、一対の竪枠２１、２２と、この竪枠２１、２２の下端間および上端間をそれぞれ繋ぐように設けられた下枠２３と上枠２４とから構成されている。この戸枠２０は、一対の竪枠２１、２２と下枠２３、上枠２４に囲まれた正面視略長方形の開口２０ｈが形成されるように、各枠２１〜２４が配設されている。
【００１９】
図７に示すように、戸枠２０にはドア３が取り付けられている。このドア３は、戸枠２０の開口２０ｈと略相似形であって、ドア３を閉じた状態において、戸枠２０の開口２０ｈを塞ぐことができる大きさに形成されている。
【００２０】
このドア３は、連結手段５によって、戸枠２０に揺動可能に連結されている。具体的には、ドア３は、その戸尻（図７（Ａ）では右側の端部）を支点として、戸先（図７（Ａ）では左側の端部）が水平に揺動できるように、連結手段５によって、戸枠２０に連結されている。
【００２１】
なお、連結手段５は、上記機能を有するものであればよくその構造はとくに限定されない。例えば、公知の蝶番やピボットヒンジ、フロアヒンジ等を本実施形態のドアセット１の連結手段として使用することができる。
【００２２】
（ドア３の構造の説明）
図１および図４、図５に示すように、ドア３は、フレーム１０と、このフレーム１０の表面および裏面に取り付けられた一対の表面板１５，１６と、を備えている。フレーム１０は、一対の竪フレーム１１、１２と、この竪フレーム１１、１２の下端間および上端間をそれぞれ繋ぐように設けられた下フレーム１３と上フレーム１４とから構成されている。つまり、フレーム１０は、各フレーム１１〜１４によって略矩形に形成されている。そして、フレーム１０の開口を塞ぐように、一対の表面板１５，１６が取り付けられている。
【００２３】
なお、フレーム１０の各フレーム１１〜１４と一対の表面板１５，１６によって囲まれた空間には、断熱材や防音材が充填されている。
また、フレーム１０と一対の表面板１５，１６は、直接接触するようになっているが、フレーム１０と一対の表面板１５，１６間に断熱シートを配置してもよい。この場合、フレーム１０と一対の表面板１５，１６間にそれぞれ断熱シートを配置してもよいし、フレーム１０と表面板１６の間だけ、または、フレーム１０と表面板１５の間だけに断熱シートを配置してもよい。
【００２４】
そして、本実施形態のドア３（つまり結露防止ドア）では、ドア自体の断熱性を高めるために、フレーム１０の各フレーム１１〜１４には断熱性を有する構造を採用している。なお、フレーム１０の各フレーム１１〜１４は実質的に同じ構造を有しているので、以下では、竪フレーム１１を代表として説明する。
【００２５】
図１および図２に示すように、竪フレーム１１は、軸方向に伸びた縦長の本体プレート１１ａと、この本体プレート１１ａの両端縁に連結された一対の側方プレート１１ｂ，１１ｃと、を備えている。一対の側方プレート１１ｂ，１１ｃは、本体プレート１１ａと直交するように配設されている。つまり、竪フレーム１１は、本体プレート１１ａと一対の側方プレート１１ｂ，１１ｃによって、断面略コの字型に形成されている。そして、竪フレーム１１は、その一対の側方プレート１１ｂ，１１ｃに一対の表面板１５，１６がそれぞれ連結されるように配置される。
【００２６】
この竪フレーム１１の本体プレート１１ａには、その表裏を貫通する貫通孔１１ｈが複数設けられている。この複数の貫通孔１１ｈは、本体プレート１１ａの軸方向に沿って長い長孔である。そして、複数の貫通孔１１ｈは、本体プレート１１ａの幅方向（一対の表面板１５，１６と直交する方向）において隣接する貫通孔１１ｈ同士が互い違いに並ぶように形成されている。つまり、本体プレート１１ａの幅方向（一方の側方プレート１１ｂ（または側方プレート１１ｃ）から他方の側方プレート１１ｃ（または側方プレート１１ｂ）を見る方向）において、隣接する貫通孔１１ｈ同士が重なりあうように設けられている（図２参照）。例えば、図２（Ｂ）の切断線ＤＬに沿って移動すると、本体プレート１１ａがある部分と貫通孔１１ｈの部分が交互に現れるように、複数の貫通孔１１ｈは設けられている。
【００２７】
竪フレーム１１は、本体プレート１１ａが上記のような構造を有しているので、竪フレーム１１の一対の側方プレート１１ｂ，１１ｃ間において熱が移動しにくくなる。つまり、ドア３では、一対の側方プレート１１ｂ，１１ｃに連結されている一対の表面板１５，１６間において熱が移動しにくくなる。すると、ドア３を閉めた際に、室内の空気と室外の空気の温度差が大きくなっても、室内の空気（高温の空気）に接する表面板１５から室外の空気（低温の空気）に接する表面板１６への熱の逃げを抑制することができる。言い換えれば、表面板１５の温度が低くなることを防ぐことができる。したがって、表面板１５に結露が発生することを抑制することができる。つまり、ドア３のフレーム１０の各フレーム１１〜１４に上述した竪フレーム１１のような構成を採用した場合には、結露を防止する機能を高めたドア３とすることができる。
【００２８】
なお、竪フレーム１１は、必ずしも一対の側方プレート１１ｂ，１１ｃを有していなくてもよい。つまり、本体プレート１１ａだけで竪フレーム１１を構成してもよい。この場合には、一対の表面板１５，１６の表面に本体プレート１１ａを差し込むことができる係合部（例えば溝状の部分）を設ける。すると、本体プレート１１ａを係合部に係合するだけで、本体プレート１１ａと一対の表面板１５，１６、言い換えれば、フレーム１０の各フレーム１１〜１４と一対の表面板１５，１６とを連結することができる。もちろん、本体プレート１１ａといずれか一方の側方プレート１１ｂ，１１ｃだけで、竪フレーム１１を構成してもよい。
【００２９】
また、本体プレート１１ａの端縁に、一対の側方プレート１１ｂ，１１ｃに代えて、溝型部材等を設けてもよい。この場合には、一対の表面板１５，１６の表面に突起を設ければ、その突起を本体プレート１１ａの溝型部材等に係合させることで、本体プレート１１ａと一対の表面板１５，１６を連結することができる。この場合にも、本体プレート１１ａの一方の端縁にのみ、溝型部材等を設けてもよい。
上述した一対の側方プレート１１ｂ，１１ｃや溝型部材等が、特許請求の範囲にいう端部部材に相当する。
【００３０】
また、本体プレート１１ａに形成する複数の貫通孔１１ｈは、上述したような長孔でなくてもよい。つまり、複数の貫通孔１１ｈは、本体プレート１１ａの幅方向において、隣接する貫通孔１１ｈ同士が重なりあうように設けられていればよい。例えば、円形や矩形などでもよい。また、全ての貫通孔１１ｈが同じ形状である必要はなく、異なる形状の孔を設けてもよい。とくに、貫通孔１１ｈが長孔であれば、貫通孔１１ｈの幅を狭くした場合、切断線ＤＬに沿った方向（特許請求の範囲にいう一方の端部部材から他方の端部部材を見る方向に相当する）に配置する貫通孔１１ｈの数を増やすことができるので、一対の端部部材間を熱が移動する際の抵抗を大きくできる。また、貫通孔１１ｈの軸方向の長さを長くすれば、隣接する貫通孔同士が重なる部分の長さを長くできるので、一対の端部部材間を熱が移動する際の抵抗をさらに大きくできる。
【００３１】
さらに、本体プレート１１ａに形成する複数の貫通孔１１ｈは、必ずしも隣接する貫通孔１１ｈ同士が重なりあうように設けられていなくてもよい。しかし、断熱性を向上させる上では、隣接する貫通孔１１ｈ同士が重なりあうように設けられていることが望ましい。
【００３２】
また、図１等には、本体プレート１１ａに形成する複数の貫通孔１１ｈが、本体プレート１１ａの幅方向に沿って３列形成されている場合を例示している。この貫通孔１１ｈを本体プレート１１ａの幅方向に沿って形成する列数は、２列でもよいし４列以上設けてもよい。例えば、図８（Ａ）に示すように、本体プレート１１ａの幅方向に沿って、貫通孔１１ｈを５列設けてもよい。
【００３３】
さらに、竪フレーム１１は、図８（Ｂ）に示すような構造としてもよい。図８（Ｂ）に示すように、竪フレーム１１は、コの字型フレームを連結して形成されている。具体的には、コの字型フレームは、本体プレート１１ａと一対の側方プレート１１ｂ，１１ｃを有しており、側方プレート１１ｂ，１１ｃ同士が面接触するように連結されている。そして、一方のコの字型フレームの本体プレート１１ａに、上述したような方法で貫通孔１１ｈを形成している。かかる構造でも、断熱機能を発揮させることができる。なお、貫通孔１１ｈを形成するコの字型フレームは、一方のコの字型フレームに限られず、両方のコの字型フレームの本体プレート１１ａに貫通孔１１ｈを形成してもよい。
【００３４】
上述したドア３のフレーム１０の各フレーム１１〜１４と同等の構造を有する部材、つまり、上述した竪フレーム１１と同等の構造を有する部材が、本発明の断熱構造体に相当する。
【００３５】
（戸枠２０の構造の説明）
図１、図４、図５に示すように、戸枠２０の各枠２１〜２４は、上述したドア３のフレーム１０の各フレーム１１〜１４と実質同等の構造を有する部材を使用することによって、断熱機能を発揮するように形成されている。なお、戸枠２０の各枠２１〜２４は実質的に同じ構造を有しているので、以下では、竪枠２１を代表として説明する。
【００３６】
図１に示すように、竪枠２１は、室外側部材２１ａと室内側部材２１ｂから形成されている。
【００３７】
室内側部材２１ｂは、略Ｌ字状に形成された部材であり、その底壁ｆが室内側の空気と接する面である。この室内側部材２１ｂの室外側の部分には、クッションＰを取り付ける溝部ｇが設けられている。
【００３８】
室外側部材２１ａは、断面略コの字型に形成された部材であり、ドア３のフレーム１０の各フレーム１１〜１４と類似した断面形状を有している。つまり、室外側部材２１ａは、本体プレートａと一対の側方プレートｂ，ｃを備えており、本体プレートａには、複数の貫通孔ｈが形成されている（図３参照）。
【００３９】
そして、竪枠２１は、室外側部材２１ａの側方プレートｂが室内側部材２１ｂの底壁ｆの外面に固定されて形成されている（図３参照）。なお、側方プレートｂは、断熱シートを介して室内側部材２１ｂの外面に固定してもよい。
【００４０】
戸枠２０は、竪枠２１の室外側部材２１ａの本体プレートａが、上記のような構造を有しているので、竪枠２１の一対の側方プレートｂ，ｃ間において熱が移動しにくくなっている。そして、側方プレートｂは、室内側部材２１ｂの底壁ｆの外面に固定されているので、室外側に位置する側方プレートｃと室内側部材２１ｂの底壁ｆとの間においても熱が移動しにくくなっている。このため、室内の空気と室外の空気の温度差が大きくなっても、室内側の空気に触れる室内側部材２１ｂの底壁ｆから室外側の空気に触れる側方プレートｃへの熱の逃げを抑制することができる。言い換えれば、室内側部材２１ｂの底壁ｆの温度が低くなることを防ぐことができる。したがって、室内側部材２１ｂの底壁ｆ、つまり、竪枠２１の室内側の面（言い換えれば、戸枠２０の室内側の面）に結露が発生することを抑制することができる。
【００４１】
（ドアセット１の断熱性）
また、上述した構造を有するドア３および戸枠２０を有するドアセット１では、ドア３および戸枠２０の断熱性を向上させることができる。したがって、室内の空気と室外の空気の間で温度差があっても、室内側に位置する面（表面板１５および戸枠２０の室内側の面）における結露の発生を抑制することができる。
【００４２】
（断熱構造体）
上述したドア３のフレーム１０の竪フレーム１１は、本体プレート１１ａを挟む一対の側方プレート１１ｂ，１１ｃ間において断熱性を有する。すると、この竪フレーム１１と同等の構造を有する骨部材は、それ自体が断熱構造を有することになる。つまり、竪フレーム１１と同等の構造を有する骨部材を断熱構造体とすることができる。そして、この骨部材を使用すれば、断熱構造を有する構造体を形成することができる。
【００４３】
例えば、図６に示すように、家屋などの壁を、一対の板状部材ＷＡ，ＷＢと、上述した竪フレーム１１と実質同等の構造を有する複数本の骨部材Ｂで形成する。この際に、骨部材Ｂの一対の側方プレートＢｂ，Ｂｃに一対の板状部材ＷＡ，ＷＢが連結された状態となるように設置する。すると、一対の板状部材ＷＡ，ＷＢは、骨部材Ｂによって連結された状態となるので、一対の板状部材ＷＡ，ＷＢ間の熱の移動は骨部材Ｂを通して行われることになる。
【００４４】
ここで、骨部材Ｂは、竪フレーム１１と実質同等の構造を有している。つまり、骨部材Ｂの本体プレートＢａは、竪フレーム１１の本体プレート１１ａと同様に、表裏を貫通する貫通孔Ｂｈが複数形成されている。したがって、骨部材Ｂの一対の側方プレートＢｂ，Ｂｃ間において熱が移動しにくくなっている。
【００４５】
すると、室内側の板状部材ＷＡが接する空気より室外側の板状部材ＷＢが接する空気の温度が低くなっても、室内側の板状部材ＷＡの温度低下を抑制することができる。したがって、室内側の板状部材ＷＡの表面における結露の発生を抑制することができる。
【００４６】
なお、骨部材Ｂは、上述したドア３のフレーム１０の竪フレーム１１と同様に、プレートＢｂ，Ｂｃを有しなくてもよい。つまり、骨部材Ｂを本体プレートＢａだけで形成してもよい。この場合でも、骨部材Ｂの本体プレートＢａの端縁間（図６の左右の端縁間）では、貫通孔Ｂｈが形成されていることによって熱が移動しにくくなっているので、断熱構造体として使用することができる。もちろん、本体プレートＢａといずれか一方のプレートＢｂ，Ｂｃだけで、骨部材Ｂを構成してもよい。
【実施例】
【００４７】
本発明の断熱構造体の結露防止効果を確認した。
実験では、図９に示すような設備で実施した。具体的には、略コの字型の骨部材（図１０参照）を、壁（スタイロフォーム）によって断熱された恒温室（高温室、低温室）間に設置して、骨部材の一方の側壁が高温側の恒温室（高温室）の空気（温度２０℃、湿度６０％）に接するように配置し、他方の側壁が低温側の恒温室（低温室）の空気（温度０℃、湿度６０％）に接するように配置した。この状態を２４時間維持して、各骨部材の高温室側の側壁に設けた熱電対（図９（Ｂ）参照）によって高温室側の側壁の温度変化を確認した。また、高温室側の側壁に結露が生じるか否かを確認した。
【００４８】
実験には、図１０に示す２つの構成を有する骨部材を使用した。
実施例１の骨部材（図１０（Ａ））は、コの字型の鋼材に貫通孔を５列形成した骨部材である。
比較例１の骨部材（図１０（Ｂ））は、ドア用フレームに使用される従来の骨部材（コの字型の鋼材）である。
なお、実施例１および比較例１には、ＳＵＳ３０４製のコの字型の鋼材（厚さ１．５ｍｍ）を使用した。
また、今回の実験では、ＳＵＳ３０４製のコの字型の鋼材を使用したが、本発明の断熱構造体において断熱性を発揮する素材はＳＵＳ（ステンレス）に限定されない。例えば、戸枠やドアの骨材として一般的に使用される鉄であっても、本発明の断熱構造体と同様の構造とすれば、断熱性を発揮させることができる。
【００４９】
結果を図１１、図１２に示す。
図１１に示すように、比較例１の骨部材（図１１（Ｂ））では高温室側の側壁の表面に結露が発生したが、実施例１の骨部材（図１１（Ａ））では高温室側の側壁の表面に結露は発生しなかった。
【００５０】
図１２に示すように、比較例１の骨部材では、高温室側の側壁の表面の温度は約１５．６度であり、高温室の空気の温度（２０度）に比べて温度が低くなっている。一方、実施例１の骨部材では、高温室側の側壁の表面の温度は約１７．３度であり、比較例１の骨部材に比べて、高温室の空気の温度（２０度）との温度差が小さくなっている。このことから、実施例１の骨部材は、比較例１の骨部材に比べて低温室側の表面に熱が移動しにくくなっていることが確認できる。
【００５１】
以上の結果から、本発明の断熱構造体は断熱機能を発揮し、結露防止効果が得られることを確認された。
【産業上の利用可能性】
【００５２】
本発明のドアセットは、マンション等の居住用建物の玄関などに使用されるドアセットに適している。
また、本発明の断熱構造体は、居住用建物の壁や、壁を構成する骨部材などに適している。
【符号の説明】
【００５３】
１      ドアセット
３      ドア
１０      フレーム
１１      竪フレーム
１１ａ    本体プレート
１１ｂ    側方プレート
１１ｃ    側方プレート
１１ｈ    貫通孔
１５      表面板
１６      表面板
２０      戸枠
２１      竪枠
ａ      本体プレート
ｂ      側方プレート
ｃ      側方プレート
ｈ      貫通孔
Ｂ      骨部材
ＷＡ      板状部材
ＷＢ      板状部材
【図１】
2017057623.tif 000003
【図２】
2017057623.tif 000004
【図３】
2017057623.tif 000005
【図４】
2017057623.tif 000006
【図５】
2017057623.tif 000007
【図６】
2017057623.tif 000008
【図７】
2017057623.tif 000009
【図８】
2017057623.tif 000010
【図９】
2017057623.tif 000011
【図１０】
2017057623.tif 000012
【図１２】
2017057623.tif 000013
【図１１】
2017057623.tif 000014